【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
内部に通常軸方向範囲、拡張軸方向範囲、および２つの向き合って配置された２つの軸方向サイドトラック間に間隔をおいて底部を有する複数の縦方向に延在するトラック間の周辺上で分離している複数の外部ボアとを有する外部ジョイントと；
各トラニオンはトップレースとインナーレースを有し、複数の前記トラニオンの間に円周方向に間隔をおいた複数のスパイダー側部を有する前記外部ジョイント部分内に配置された内部ジョイント部分と；
各ローラには前記トラニオンの各インナーレース上に装着された内部ボアが備えられ、前記外部ジョイント部分と前記内部ジョイント部分との間に角度方向と軸方向変位を発生する複数のローラと；
前記通常軸方向範囲より遠位にあり、前記外部ジョイント部分に対し拡張軸方向範囲内に配置された１つ又はそれ以上のエネルギー吸収面と；
から構成され、
前記外部ジョイント部分上のエネルギー吸収面は、前記外部ジョイント部分が拡張軸方向範囲内で前記通常軸方向範囲を越えて作動する際に、前記内部ジョイント部分又は前記複数のローラの少なくとも１つのローラと干渉し、前記エネルギー吸収面の１つがサークリップであることを特徴とするエネルギー吸収プランジング型等速ジョイント。
【請求項２】
前記サークリップは、変形可能材料で作られていることを特徴とする請求項１に記載のエネルギー吸収プランジング型等速ジョイント。
【請求項３】
前記変形可能材料は金属であることを特徴とする請求項２に記載のエネルギー吸収プランジング型等速ジョイント。
【請求項４】
前記変形可能材料はプラスチックであることを特徴とする請求項２に記載のエネルギー吸収プランジング型等速ジョイント。
【請求項５】
前記サークリップはリングであることを特徴とする請求項１に記載のエネルギー吸収プランジング型等速ジョイント。
【請求項６】
内部に通常軸方向範囲、拡張軸方向範囲、および２つの向き合って配置された２つの軸方向サイドトラック間に間隔をおいて底部を有する複数の縦方向に延在するトラック間の周辺上で分離している複数の外部ボアとを有する外部ジョイントと；
各トラニオンはトップレースとインナーレースを有し、複数の前記トラニオンの間に円周方向に間隔をおいた複数のスパイダー側部を有する前記外部ジョイント部分内に配置された内部ジョイント部分と；
各ローラには前記トラニオンの各インナーレース上に装着された内部ボアが備えられ、前記外部ジョイント部分と前記内部ジョイント部分との間に角度方向と軸方向変位を発生する複数のローラと；
前記通常軸方向範囲より遠位にあり、前記外部ジョイント部分に対し拡張軸方向範囲内に配置された１つ又はそれ以上のエネルギー吸収面と；
から構成され、
前記外部ジョイント部分上のエネルギー吸収面は、前記外部ジョイント部分が拡張軸方向範囲内で前記通常軸方向範囲を越えて作動する際に、前記内部ジョイント部分又は前記複数のローラの少なくとも１つのローラと干渉し、、
前記エネルギー吸収面の１つは、前記底部の１つに配置された底面であり、且つ１つ又はそれ以上の傾斜、段階的傾斜又は可変傾斜を有することを特徴とするエネルギー吸収プランジング型等速ジョイント。
【請求項７】
前記底面は、前記外部ジョイント部分と同一の材料要素で作られることを特徴とする請求項６に記載のエネルギー吸収プランジング型等速ジョイント。
【請求項８】
内部に通常軸方向範囲、拡張軸方向範囲、および２つの向き合って配置された２つの軸方向サイドトラック間に間隔をおいて底部を有する複数の縦方向に延在するトラック間の周辺上で分離している複数の外部ボアとを有する外部ジョイントと；
各トラニオンはトップレースとインナーレースを有し、複数の前記トラニオンの間に円周方向に間隔をおいた複数のスパイダー側部を有する前記外部ジョイント部分内に配置された内部ジョイント部分と；
各ローラには前記トラニオンの各インナーレース上に装着された内部ボアが備えられ、前記外部ジョイント部分と前記内部ジョイント部分との間に角度方向と軸方向変位を発生する複数のローラと；
前記通常軸方向範囲より遠位にあり、前記外部ジョイント部分に対し拡張軸方向範囲内に配置された１つ又はそれ以上のエネルギー吸収面；
とから構成され、
前記外部ジョイント部分上のエネルギー吸収面は、前記外部ジョイント部分が拡張軸方向範囲内で前記通常軸方向範囲を越えて作動する際に、前記内部ジョイント部分又は前記複数のローラの少なくとも１つのローラと干渉し、前記エネルギー吸収面の１つは前記外部ボアの１つに配置されたボア表面であり、且つ１つ又はそれ以上の傾斜、段階的傾斜又は可変傾斜を有することを特徴とするエネルギー吸収プランジング型等速ジョイント。
【請求項９】
前記ボア表面が、前記外部ジョイント部分と同一の材料要素で作られることを特徴とする請求項８に記載のエネルギー吸収プランジング型等速ジョイント。
【請求項１０】
内部に通常軸方向範囲、拡張軸方向範囲、および２つの向き合って配置された２つの軸方向サイドトラック間に間隔をおいて底部を有する複数の縦方向に延在するトラック間の周辺上で分離している複数の外部ボアとを有する外部ジョイントと；
各トラニオンはトップレースとインナーレースを有し、複数の前記トラニオンの間に円周方向に間隔をおいた複数のスパイダー側部を有する前記外部ジョイント部分内に配置された内部ジョイント部分と；
各ローラには前記トラニオンの各インナーレース上に装着された内部ボアが備えられ、前記外部ジョイント部分と前記内部ジョイント部分との間に角度方向と軸方向変位を発生する複数のローラと；、
前記通常軸方向範囲より遠位にあり、前記外部ジョイント部分に対し拡張軸方向範囲内に配置された１つ又はそれ以上のエネルギー吸収面と；
から構成され、
前記外部ジョイント部分上のエネルギー吸収面は、前記外部ジョイント部分が拡張軸方向範囲内で前記通常軸方向範囲を越えて作動する際に、前記内部ジョイント部分又は前記複数のローラの少なくとも１つの前記ローラと干渉し、前記エネルギー吸収面の１つは前記サイドトラックの１つに配置されたトラック面であり、且つ１つ又はそれ以上のテーパ又は段階的テーパを有することを特徴とするエネルギー吸収プランジング型等速ジョイント。
【請求項１１】
前記トラック面は、前記外部ジョイント部分と同一の材料要素で作られることを特徴とする請求項１０に記載のエネルギー吸収プランジング型等速ジョイント。
【請求項１２】
前記外部ジョイント部分は、前記外部ジョイント部分の前記通常軸方向範囲より遠位にあり、且つ前記拡張軸方向範囲に近接して配置された円筒状開口端部と、前記円筒状開口端部にシール可能に取り付けられたグリースカバーとを更に有することを特徴とする請求項１，６，８，１０に記載のエネルギー吸収プランジング型等速ジョイント。
【請求項１３】
前記グリースカバーは、前記ジョイントが前記拡張軸方向範囲を越えて軸方向に移動する時に変位可能であることを特徴とする請求項１２に記載のエネルギー吸収プランジング型等速ジョイント。
【請求項１４】
前記エネルギー吸収面の１つ又はそれ以上は、前記拡張軸方向範囲内で前記外部ジョイント部分内に機械加工され、鍛造され又は積み重ねられることを特徴とする請求項１，６，８，１０に記載のエネルギー吸収プランジング型等速ジョイント。